(57)【特許請求の範囲】
【請求項１】
第一の距離における各々異なったピッチデータ及び移動時間データを複数記憶する記憶手段と、
前記第一の距離とは異なる第二の距離における試走ピッチデータ及び試走時間データを記憶する試走記憶手段と、
前記第二の距離を実走するための目標時間データを記憶する目標時間記憶手段と、
前記記憶手段に記憶されている複数のピッチデータ及び移動時間データに基づいてピッチデータと移動時間データとの関係を定める関係式に用いられている係数及び定数を求め、この求めた係数及び定数を用いた前記関係式に、前記試走ピッチデータを代入することによって第一の距離換算試走時間データを算出し、この算出した第一の距離換算試走時間データに対する第一の距離換算目標時間データを、前記試走時間データに対する前記目標時間データの関係から計算し、この計算した第一の距離換算目標時間データを、前記求めた係数及び定数を用いた前記関係式に代入することによって前記第二の距離を実走するためのピッチデータを算出する算出手段と、
を備えたことを特徴とするピッチ算出装置。
【請求項２】
実走に先立って試走する第一の距離を異なるピッチでそれぞれ試走した際の複数のピッチデータと前記実走する距離と同じ第二の距離を試走した際のピッチデータとを入力する第一の入力手段と、
前記第二の距離を実走する際の目標時間データを入力する第二の入力手段と、
前記第一の入力手段により入力された複数のピッチデータに従って前記第一の距離と前記第二の距離とを試走した時間を計時して試走時間データを得る計時手段と、
前記第一の入力手段により入力された複数のピッチデータ、前記第二の入力手段により入力された目標時間データ、前記計時手段から得られた前記第一の距離を試走した複数の試走時間データ、及び前記第二の距離を試走した試走時間データを記憶する記憶手段と、
この記憶手段に記憶されている前記第一の距離を試走したときの複数の試走時間データ及び複数のピッチデータに基づいてピッチデータと移動時間データとの関係を定める関係式に用いられている係数及び定数を求め、この求めた係数及び定数を用いた前記関係式に、前記第二の距離を試走したときのピッチデータを代入することによって第一の距離換算試走時間データを算出し、この算出した第一の距離換算試走時間データに対する第一の距離換算目標時間データを、前記第二の距離を試走したときの試走時間データに対する前記目標時間データの関係から計算し、この計算した第一の距離換算目標時間データを、前記求めた係数及び定数を用いた前記関係式に代入することによって前記第二の入力手段により入力された目標時間データで前記第二の距離を実走するためのピッチとなるピッチデータを算出する算出手段と、
この算出手段により算出されたピッチデータに対応するピッチ音を報音する報音手段と、
を備えたことを特徴とするピッチ算出装置。
【請求項３】
前記報音手段は、さらに、前記第一の入力手段により入力されたピッチデータに対応するピッチ音を報音することを特徴とする請求項２記載のピッチ算出装置。
【請求項４】
複数の異なるピッチで第一の距離を移動したときの歩数と任意のピッチで第二の距離を移動したときの歩数とを検出する歩数検出手段と、
この歩数検出手段での歩数検出の際に前記第一及び第二の距離の移動時間を計時する計時手段と、
前記第二の距離を移動する際の目標移動時間データを入力する入力手段と、
前記歩数検出手段により検出された歩数を表す歩数データと前記計時手段により計時された移動時間を表す移動時間データとに基づいて前記第一の距離における複数回の移動と前記第二の距離における移動との際の各々の第一のピッチデータを算出する第一の算出手段と、
この第一の算出手段により算出された複数の第一のピッチデータ、前記入力手段から入力された目標移動時間データ及び前記計時手段により計時された複数の移動時間データを記憶する記憶手段と、
この記憶手段に記憶されている前記第一の距離を移動したときの複数の第一のピッチデータ及び複数の移動時間データに基づいてピッチデータと移動時間データとの関係を定める関係式に用いられている係数及び定数を求め、この求めた係数及び定数を用いた前記関係式に、前記第二の距離を移動したときの第一のピッチデータを代入することによって第一の距離換算試走時間データを算出し、この算出した第一の距離換算試走時間データに対する第一の距離換算目標時間データを、前記第二の距離を移動したときの移動時間データに対する前記目標時間データの関係から計算し、この計算した第一の距離換算目標時間データを、前記求めた係数及び定数を用いた前記関係式に代入することによって前記入力手段により入力された目標時間データで前記第二の距離を移動するためのピッチとなる第二のピッチデータを算出する第二の算出手段と、
この第二の算出手段で算出された第二のピッチデータに対応するピッチ音を報音する報音手段と、
を備えたことを特徴とするピッチ算出装置。
【請求項５】
前記報音手段は、前記第二の算出手段により算出された第二のピッチデータに対応してピッチ音を報音するとともに、前記歩数検出手段で歩数を検出する際に移動のペースに対応してピッチ音を報音することを特徴とする請求項４に記載のピッチ算出装置。
【請求項６】
前記算出された前記第二の距離を実走するためのピッチデータの値を表示する表示手段を備えたことを特徴とする請求項１〜５の何れか一項に記載のピッチ算出装置。
【請求項７】
前記ピッチデータは、一分当たりの歩数であることを特徴する請求項１〜６の何れか一項に記載のピッチ算出装置。
【請求項８】
第一の距離における各々異なったピッチデータ及び移動時間データを複数記憶する記憶ステップと、
前記第一の距離とは異なる第二の距離における試走ピッチデータ及び試走時間データを記憶する試走記憶ステップと、
前記第二の距離を実走するための目標時間データを記憶する目標時間記憶ステップと、
前記記憶ステップにおいて記憶された複数のピッチデータ及び移動時間データに基づいてピッチデータと移動時間データとの関係を定める関係式に用いられている係数及び定数を求め、この求めた係数及び定数を用いた前記関係式に、前記試走ピッチデータを代入することによって第一の距離換算試走時間データを算出し、この算出した第一の距離換算試走時間データに対する第一の距離換算目標時間データを、前記試走時間データに対する前記目標時間データの関係から計算し、この計算した第一の距離換算目標時間データを、前記求めた係数及び定数を用いた前記関係式に代入することによって前記第二の距離を実走するためのピッチデータを算出する算出ステップと、
この算出ステップにおいて算出されたピッチデータに対応するピッチ音を報音するための報音ステップと、
を含むことを特徴とする報音制御方法。
【請求項９】
実走に先立って試走する第一の距離を異なるピッチでそれぞれ試走した際の複数のピッチデータと前記実走する距離と同じ第二の距離を試走した際のピッチデータとを入力する第一の入力ステップと、
前記第二の距離を実走する際の目標時間データを入力する第二の入力ステップと、
前記第一の入力ステップにおいて入力された複数のピッチデータに従って前記第一の距離と前記第二の距離とを試走した時間を計時して試走時間データを得る計時ステップと、
前記第一の入力ステップにおいて入力された複数のピッチデータ、前記第二の入力ステップにおいて入力された目標時間データ、前記計時ステップにおいて得られた前記第一の距離を試走した複数の試走時間データ、及び前記第二の距離を試走した試走時間データを記憶する記憶ステップと、
この記憶ステップにおいて記憶された前記第一の距離を試走したときの複数の試走時間データ及び複数のピッチデータに基づいてピッチデータと移動時間データとの関係を定める関係式に用いられている係数及び定数を求め、この求めた係数及び定数を用いた前記関係式に、前記第二の距離を試走したときのピッチデータを代入することによって第一の距離換算試走時間データを算出し、この算出した第一の距離換算試走時間データに対する第一の距離換算目標時間データを、前記第二の距離を試走したときの試走時間データに対する前記目標時間データの関係から計算し、この計算した第一の距離換算目標時間データを、前記求めた係数及び定数を用いた前記関係式に代入することによって前記第二の入力ステップにおいて入力された目標時間データで前記第二の距離を実走するためのピッチとなるピッチデータを算出する算出ステップと、
この算出ステップにおいて算出されたピッチデータに対応するピッチ音を報音する報音ステップと、
を含むことを特徴とする報音制御方法。
【請求項１０】
複数の異なるピッチで第一の距離を移動したときの歩数と任意のピッチで第二の距離を移動したときの歩数とを検出する歩数検出ステップと、
この歩数検出ステップにおける歩数検出の際に前記第一及び第二の距離の移動時間を計時する計時ステップと、
前記第二の距離を移動する際の目標移動時間データを入力する入力ステップと、
前記歩数検出ステップにおいて検出された歩数を表す歩数データと前記計時ステップにおいて計時された移動時間を表す移動時間データとに基づいて前記第一の距離における複数回の移動と前記第二の距離における移動との際の各々の第一のピッチデータを算出する第一の算出ステップと、
この第一の算出ステップにおいて算出された複数の第一のピッチデータ、前記入力ステップにおいて入力された目標移動時間データ及び前記計時ステップにおいて計時された複数の移動時間データを記憶する記憶ステップと、
この記憶ステップにおいて記憶された前記第一の距離を移動したときの複数の第一のピッチデータ及び複数の移動時間データに基づいてピッチデータと移動時間データとの関係を定める関係式に用いられている係数及び定数を求め、この求めた係数及び定数を用いた前記関係式に、前記第二の距離を移動したときの第一のピッチデータを代入することによって第一の距離換算試走時間データを算出し、この算出した第一の距離換算試走時間データに対する第一の距離換算目標時間データを、前記第二の距離を移動したときの移動時間データに対する前記目標時間データの関係から計算し、この計算した第一の距離換算目標時間データを、前記求めた係数及び定数を用いた前記関係式に代入することによって前記入力ステップにおいて入力された目標時間データで前記第二の距離を移動するためのピッチとなる第二のピッチデータを算出する第二の算出ステップと、
この第二の算出ステップにおいて算出された第二のピッチデータに対応するピッチ音を報音する報音ステップと、
を含むことを特徴とする報音制御方法。
【発明の詳細な説明】
【０００１】
【産業上の利用分野】
本発明は、移動のペースを決めるピッチ算出装置及び報音制御方法に関する。
【０００２】
【従来の技術】
一般に、陸上競技のマラソンや一万メートル等の長距離走競技においては、走者が自分のペースを守って走ることが重要な要素となっており、練習の際にもペースメーカーを用いる場合がある。このペースメーカーは、走者に一定周期毎に信号音（ピッチ音）等の合図を送るものであり、走者がこの合図に合わせたピッチで走ることにより、ペースを守った走行を行なうことができる。
従来、上記ペースメーカーとして、腕時計に一定周期でピッチ音を発生する機能を持たせたものが知られている。
【０００３】
上記腕時計に、一定周期でピッチ音を発生する機能を付けたことにより、走者は、特にペースメーカーとなる設備がないところでも、常時ペースメーカーを装着した状態で走ることができる。すなわち、上記腕時計により、走者は、どこででも、ペースを守って走ることができる。
上記腕時計においては、ピッチ音を発生する周期の長さを自由に設定できるようになっており、走者の望むピッチに合わせた周期でピッチ音を発生することができる。
【０００４】
【発明が解決しようとする課題】
ところで、上記従来の単にピッチ音を発生する周期を変更することができるだけの機能では、任意の距離を目標時間で走る際のピッチに合わせた周期でピッチ音を発生させることはできなかった。
任意の距離、例えばＹを目標時間Ｘで走行する為のピッチＰ（例えば、一分当たりの歩数）を求めるには、まず、歩幅Ｚ及び上記距離Ｙ、時間Ｘを各々入力し、
Ｐ＝Ｙ÷Ｚ÷Ｘ
の演算をしなければならなかった。従って、このような演算を行なわせてピッチＰを求める装置を提供したとしても、設定するデータが多くキー操作が面倒である欠点があった。
【０００５】
本発明は、上記事情に鑑みてなされたものであり、容易な操作で移動のペースを決めるピッチを求めることができるピッチ算出装置及び報音制御方法を提供することを目的とするものである。
【０００６】
【課題を解決するための手段】
本発明の請求項１に記載のピッチ算出装置は、第一の距離における各々異なったピッチデータ及び移動時間データを複数記憶する記憶手段と、
前記第一の距離とは異なる第二の距離における試走ピッチデータ及び試走時間データを記憶する試走記憶手段と、
前記第二の距離を実走するための目標時間データを記憶する目標時間記憶手段と、
前記記憶手段に記憶されている複数のピッチデータ及び移動時間データに基づいてピッチデータと移動時間データとの関係を定める関係式に用いられている係数及び定数を求め、この求めた係数及び定数を用いた前記関係式に、前記試走ピッチデータを代入することによって第一の距離換算試走時間データを算出し、この算出した第一の距離換算試走時間データに対する第一の距離換算目標時間データを、前記試走時間データに対する前記目標時間データの関係から計算し、この計算した第一の距離換算目標時間データを、前記求めた係数及び定数を用いた前記関係式に代入することによって前記第二の距離を実走するためのピッチデータを算出する算出手段とを備えたことを上記課題を解決する手段とした。
【０００７】
また、本発明の請求項２に記載のピッチ算出装置は、実走に先立って試走する第一の距離を異なるピッチでそれぞれ試走した際の複数のピッチデータと前記実走する距離と同じ第二の距離を試走した際のピッチデータとを入力する第一の入力手段と、
前記第二の距離を実走する際の目標時間データを入力する第二の入力手段と、
前記第一の入力手段により入力された複数のピッチデータに従って前記第一の距離と前記第二の距離とを試走した時間を計時して試走時間データを得る計時手段と、
前記第一の入力手段により入力された複数のピッチデータ、前記第二の入力手段により入力された目標時間データ、前記計時手段から得られた前記第一の距離を試走した複数の試走時間データ、及び前記第二の距離を試走した試走時間データを記憶する記憶手段と、
この記憶手段に記憶されている前記第一の距離を試走したときの複数の試走時間データ及び複数のピッチデータに基づいてピッチデータと移動時間データとの関係を定める関係式に用いられている係数及び定数を求め、この求めた係数及び定数を用いた前記関係式に、前記第二の距離を試走したときのピッチデータを代入することによって第一の距離換算試走時間データを算出し、この算出した第一の距離換算試走時間データに対する第一の距離換算目標時間データを、前記第二の距離を試走したときの試走時間データに対する前記目標時間データの関係から計算し、この計算した第一の距離換算目標時間データを、前記求めた係数及び定数を用いた前記関係式に代入することによって前記第二の入力手段により入力された目標時間データで前記第二の距離を実走するためのピッチとなるピッチデータを算出する算出手段と、
この算出手段により算出されたピッチデータに対応するピッチ音を報音する報音手段と、
を備えたことを上記課題を解決する手段とした。
【０００８】
また、上記構成に加えて本発明の請求項３に記載のピッチ算出装置は、前記報音手段は、さらに、前記第一の入力手段により入力されたピッチデータに対応するピッチ音を報音することを上記課題を解決する手段とした。
【００１１】
また、本発明の請求項４に記載のピッチ算出装置は、複数の異なるピッチで第一の距離を移動したときの歩数と任意のピッチで第二の距離を移動したときの歩数とを検出する歩数検出手段と、
この歩数検出手段での歩数検出の際に前記第一及び第二の距離の移動時間を計時する計時手段と、
前記第二の距離を移動する際の目標移動時間データを入力する入力手段と、
前記歩数検出手段により検出された歩数を表す歩数データと前記計時手段により計時された移動時間を表す移動時間データとに基づいて前記第一の距離における複数回の移動と前記第二の距離における移動との際の各々の第一のピッチデータを算出する第一の算出手段と、
この第一の算出手段により算出された複数の第一のピッチデータ、前記入力手段から入力された目標移動時間データ及び前記計時手段により計時された複数の移動時間データを記憶する記憶手段と、
この記憶手段に記憶されている前記第一の距離を移動したときの複数の第一のピッチデータ及び複数の移動時間データに基づいてピッチデータと移動時間データとの関係を定める関係式に用いられている係数及び定数を求め、この求めた係数及び定数を用いた前記関係式に、前記第二の距離を移動したときの第一のピッチデータを代入することによって第一の距離換算試走時間データを算出し、この算出した第一の距離換算試走時間データに対する第一の距離換算目標時間データを、前記第二の距離を移動したときの移動時間データに対する前記目標時間データの関係から計算し、この計算した第一の距離換算目標時間データを、前記求めた係数及び定数を用いた前記関係式に代入することによって前記入力手段により入力された目標時間データで前記第二の距離を移動するためのピッチとなる第二のピッチデータを算出する第二の算出手段と、
この第二の算出手段で算出された第二のピッチデータに対応するピッチ音を報音する報音手段とを備えたことを上記課題を解決する手段とした。
【００１４】
そして、上記構成に加えて本発明の請求項５に記載のピッチ算出装置は、前記報音手段は、前記第二の算出手段により算出された第二のピッチデータに対応してピッチ音を報音するとともに、前記歩数検出手段で歩数を検出する際に移動のペースに対応してピッチ音を報音することを上記課題を解決する手段とした。
【００１５】
また、上記構成に加えて本発明の請求項６に記載のピッチ算出装置は、前記算出された前記第二の距離を実走するためのピッチデータの値を表示する表示手段を備えたことを上記課題を解決する手段とした。
【００１６】
さらに、上記構成に加えて本発明の請求項７に記載のピッチ算出装置は、前記ピッチデータが、一分当たりの歩数であることを上記課題を解決する手段とした。
本発明の請求項８に記載の報音制御方法は、第一の距離における各々異なったピッチデータ及び移動時間データを複数記憶する記憶ステップと、
前記第一の距離とは異なる第二の距離における試走ピッチデータ及び試走時間データを記憶する試走記憶ステップと、
前記第二の距離を実走するための目標時間データを記憶する目標時間記憶ステップと、
前記記憶ステップにおいて記憶された複数のピッチデータ及び移動時間データに基づいてピッチデータと移動時間データとの関係を定める関係式に用いられている係数及び定数を求め、この求めた係数及び定数を用いた前記関係式に、前記試走ピッチデータを代入することによって第一の距離換算試走時間データを算出し、この算出した第一の距離換算試走時間データに対する第一の距離換算目標時間データを、前記試走時間データに対する前記目標時間データの関係から計算し、この計算した第一の距離換算目標時間データを、前記求めた係数及び定数を用いた前記関係式に代入することによって前記第二の距離を実走するためのピッチデータを算出する算出ステップと、
この算出ステップにおいて算出されたピッチデータに対応するピッチ音を報音するための報音ステップと、
を含むことを上記課題を解決する手段とした。
また、本発明の請求項９に記載の報音制御方法は、実走に先立って試走する第一の距離を異なるピッチでそれぞれ試走した際の複数のピッチデータと前記実走する距離と同じ第二の距離を試走した際のピッチデータとを入力する第一の入力ステップと、
前記第二の距離を実走する際の目標時間データを入力する第二の入力ステップと、
前記第一の入力ステップにおいて入力された複数のピッチデータに従って前記第一の距離と前記第二の距離とを試走した時間を計時して試走時間データを得る計時ステップと、
前記第一の入力ステップにおいて入力された複数のピッチデータ、前記第二の入力ステップにおいて入力された目標時間データ、前記計時ステップにおいて得られた前記第一の距離を試走した複数の試走時間データ、及び前記第二の距離を試走した試走時間データを記憶する記憶ステップと、
この記憶ステップにおいて記憶された前記第一の距離を試走したときの複数の試走時間データ及び複数のピッチデータに基づいてピッチデータと移動時間データとの関係を定める関係式に用いられている係数及び定数を求め、この求めた係数及び定数を用いた前記関係式に、前記第二の距離を試走したときのピッチデータを代入することによって第一の距離換算試走時間データを算出し、この算出した第一の距離換算試走時間データに対する第一の距離換算目標時間データを、前記第二の距離を試走したときの試走時間データに対する前記目標時間データの関係から計算し、この計算した第一の距離換算目標時間データを、前記求めた係数及び定数を用いた前記関係式に代入することによって前記第二の入力ステップにおいて入力された目標時間データで前記第二の距離を実走するためのピッチとなるピッチデータを算出する算出ステップと、
この算出ステップにおいて算出されたピッチデータに対応するピッチ音を報音する報音ステップと、
を含むことを上記課題の解決手段とした。
本発明の請求項１０に記載の報音制御方法は、複数の異なるピッチで第一の距離を移動したときの歩数と任意のピッチで第二の距離を移動したときの歩数とを検出する歩数検出ステップと、
この歩数検出ステップにおける歩数検出の際に前記第一及び第二の距離の移動時間を計時する計時ステップと、
前記第二の距離を移動する際の目標移動時間データを入力する入力ステップと、
前記歩数検出ステップにおいて検出された歩数を表す歩数データと前記計時ステップにおいて計時された移動時間を表す移動時間データとに基づいて前記第一の距離における複数回の移動と前記第二の距離における移動との際の各々の第一のピッチデータを算出する第一の算出ステップと、
この第一の算出ステップにおいて算出された複数の第一のピッチデータ、前記入力ステップにおいて入力された目標移動時間データ及び前記計時ステップにおいて計時された複数の移動時間データを記憶する記憶ステップと、
この記憶ステップにおいて記憶された前記第一の距離を移動したときの複数の第一のピッチデータ及び複数の移動時間データに基づいてピッチデータと移動時間データとの関係を定める関係式に用いられている係数及び定数を求め、この求めた係数及び定数を用いた前記関係式に、前記第二の距離を移動したときの第一のピッチデータを代入することによって第一の距離換算試走時間データを算出し、この算出した第一の距離換算試走時間データに対する第一の距離換算目標時間データを、前記第二の距離を移動したときの移動時間データに対する前記目標時間データの関係から計算し、この計算した第一の距離換算目標時間データを、前記求めた係数及び定数を用いた前記関係式に代入することによって前記入力ステップにおいて入力された目標時間データで前記第二の距離を移動するためのピッチとなる第二のピッチデータを算出する第二の算出ステップと、
この第二の算出ステップにおいて算出された第二のピッチデータに対応するピッチ音を報音する報音ステップと、
を含むことを上記課題の解決手段とした。
【００１７】
【作用】
上記請求項１に記載された構成によれば、歩幅や距離を設定しなくとも、記憶手段に記憶されている第一の距離における複数のピッチデータ及び移動時間データと、試走記憶手段に記憶されている第一の距離とは異なる第二の距離における試走ピッチデータ及び試走時間データと、目標時間記憶手段に記憶されている第二の距離を実走するための目標時間データとに基づいて、その目標時間データで第二の距離を実走するためのピッチデータを算出することができる。具体的には、算出手段によって、記憶手段に記憶されている複数のピッチデータ及び移動時間データに基づいてピッチデータと移動時間データとの関係を定める関係式に用いられている係数及び定数が求められる。次いで、この求められた係数及び定数を用いた前記関係式に、前記試走ピッチデータを代入することによって第一の距離換算試走時間データが算出され、この算出された第一の距離換算試走時間データに対する第一の距離換算目標時間データが、前記試走時間データに対する前記目標時間データの関係から計算される。そして、この計算された第一の距離換算目標時間データを、前記求めた係数及び定数を用いた前記関係式に代入することによって第二の距離を実走するためのピッチデータが算出される。
【００１８】
上記請求項２に記載された構成によれば、試走した時間を計時する計時手段により、実走に先立って試走する第一の距離を異なるピッチでそれぞれ試走した時間と、実走する距離と同じ第二の距離を試走した時間とを計時することができる。そして、算出手段によって、第一の距離を試走したときの複数の試走時間データ及び複数のピッチデータと、第二の距離を試走したときの試走時間データ及びピッチデータと、第二の距離を実走する際の目標時間データとに基づいて、その目標時間データで第二の距離を実走するためのピッチデータを算出し、算出されたピッチデータに対応するピッチ音を報音することができる。
【００１９】
具体的には、算出手段によって、記憶手段に記憶されている前記第一の距離を試走したときの複数の試走時間データ及び複数のピッチデータに基づいてピッチデータと移動時間データとの関係を定める関係式に用いられている係数及び定数が求められる。次いで、この求められた係数及び定数を用いた前記関係式に、第二の距離を試走したときのピッチデータを代入することによって第一の距離換算試走時間データが算出され、この算出された第一の距離換算試走時間データに対する第一の距離換算目標時間データが、第二の距離を試走したときの試走時間データに対する目標時間データの関係から計算される。そして、この計算された第一の距離換算目標時間データを、前記求めた係数及び定数を用いた前記関係式に代入することによって第二の入力手段により入力された目標時間データで第二の距離を実走するためのピッチとなるピッチデータが算出され、算出されたピッチデータに対応するピッチ音が報音される。
【００２０】
また、上記請求項３に記載の構成によれば、第一の入力手段より入力されたピッチデータに基づいて報音手段から報音を行うことができる。したがって、より正確に第一の入力手段から入力された夫々のピッチデータに従って、第一の距離を試走する時間を計時することができる。
【００２３】
また、上記請求項４に記載された構成によれば、歩数検出手段が第一の距離及び第二の距離の歩数を検出し、計時手段がこの際の移動時間を計時し、第一の算出手段が上記移動時間と歩数とに基づいて第一のピッチデータを求める。
従って、入力手段により第一のピッチデータを入力しなくとも、第二の算出手段がピッチデータと移動時間データとの関係を定める関係式に用いられている係数及び定数を求めることができ、第二のピッチデータを算出することができる。
【００２６】
また、上記請求項５に記載された構成によれば、報音手段は、上述のように算出された第二のピッチデータに対応してピッチ音を報音するとともに、上記歩数検出手段で歩数を検出する際に移動のペースに対応してピッチ音を報音するので、第一のピッチデータを求める際に、自分で作り出したペースを一定に保つことができ、安定した第一のピッチデータが得られるので第二のピッチデータをより正確に求めることができる。
【００２７】
また、上記請求項６に記載された構成によれば、算出された第二の距離を実走するためのピッチデータの値を表示する表示手段を備えているので、該ピッチデータの値を確認することができる。また、上記請求項７に記載された構成によれば、ピッチデータは、一分当たりの歩数であり、容易に認識することができる。
また、上記請求項８に記載された構成によれば、請求項１と同様の作用効果を奏することができる。また、請求項９に記載された構成によれば、請求項２と同様の作用効果を奏することができる。また、請求項１０に記載された構成によれば、請求項４と同様の作用効果を奏することができる。
【００２８】
【実施例】
以下に、本発明のピッチ算出装置の第一の実施例を図面を参照して説明する。
なお、第一の実施例におけるピッチ算出装置は、本発明のピッチ算出装置を電子式腕時計として形成したものであり、後述するピッチ算出機能とともに、腕時計として時刻を表示する機能を有するものである。
図１は、第一の実施例のピッチ算出装置の基本構成を示すブロック図である。
【００２９】
図１に示すように、第一の実施例のピッチ算出装置は、一定の周期のパルスを出力するための発振回路１及び分周回路２と、該分周回路２からのパルスの入力に基づき、時刻及び時間の計測と後述するピッチの算出を行なう中央演算処理装置（ＣＰＵ）３と、ＣＰＵ３で処理するプログラムを記憶した読み出し専用メモリ（ＲＯＭ）４と、データを記憶する随時書き込み読み出しメモリ（ＲＡＭ）５と、ＣＰＵ３から出力されるピッチ信号を増幅してピッチ音として報音するための増幅回路６及びスピーカ７と、時刻及び後述するピッチや計時時間を表示するための表示駆動回路８及び表示部９と、データの入力、後述するモード切換を行なうためのキー入力部１０とからなるものである。
【００３０】
上記発振回路１は、周知の水晶振動子を用いたものであり、固有振動数に応じた、例えば３２７６８Ｈｚの周波数の信号を発生させるものである。
上記分周回路２は、上記発振回路１から出力される周波数の信号を分周するものであり、第一の実施例においては、上記発振回路１からの信号を３２Ｈｚに分周し、ＣＰＵ３に出力するようになっている。
【００３１】
上記ＲＡＭ５は、図２に示すように、上記表示部９に表示するデータを記憶する表示レジスタの領域５ａと、上記分周回路２からの信号の入力に対応して経過する時刻を記憶する計時レジスタの領域５ｂと、後述する表示モードの切換用フラグＭ、Ｆ、Ｎ、Ｌ、Ｐを記憶する領域５ｃとを有する。
また、ＲＡＭ５は、後述する第一の試走の際のピッチ（走者が走る際の一定時間、即ち一分当たりでの歩数）を記憶するピッチ１の領域５ｄと、上記第一の試走の際の試走時間を記憶する試走時間Ｔ１の領域５ｅと、後述する第二の試走の際のピッチを記憶するピッチ２の領域５ｆと、上記第二の試走の際の試走時間を記憶する試走時間Ｔ２の領域５ｇとを有する。
【００３２】
更に、ＲＡＭ５は、ピッチと試走時間との後述する関係式において、係数ａを記憶するａの領域５ｈ及び定数ｂを記憶するｂの領域５ｉと、キー入力部１０から入力される目標時間（任意の距離を走者が走る際の目標とする移動時間）を記憶する目標時間の領域５ｊと、後述する第三の試走の際のピッチを記憶する走行ピッチの領域５ｋと、ＣＰＵ３により演算され、かつ、上記目標時間で走者が走るためのピッチを記憶する算出ピッチの領域５ｌと、試走時間を測定するためのストップウォッチ機能のスタートしてからストップ迄を示すフラグＳを記憶する領域５ｍとを有する。
【００３３】
上記表示部９は、周知の液晶ディスプレイからなるものであり、ＣＰＵ３から出力される時刻、ピッチ、試走時間等のデータが入力される表示駆動回路８によて駆動されて図３に示される表示を行なうものである。
図３に示すように、表示部９で表示される表示画面には、ＣＰＵ３の後述する処理に対応して、時計表示モード画面Ａと、第一の試走モード画面Ｂと、第二の試走モード画面Ｃと、第三の試走モードの時間測定画面Ｄ及びピッチ設定画面Ｅと、実走モードの目標時間設定画面Ｈ及びピッチ表示画面Ｇとを有する。
【００３４】
上記キー入力部１０は、後述する第一ないし第六のキースイッチＳ１、Ｓ２、Ｓ３、Ｓ４、Ｓ５、Ｓ６からなるものであり、各キースイッチからオン・オフ信号を出力できるようになっており、第一ないし第三のキースイッチＳ１、Ｓ２、Ｓ３は、モード切換用に用いられるものである。
第四のキースイッチＳ４は、上記ピッチを入力するための数値入力用のものであり、周知のディジタル式の時計の数値入力に用いられるキースイッチと同様に、第四のキースイッチＳ４を押してオン状態にする毎に数値が増加し、所定の値まで増加すると、０に戻るものである。
【００３５】
第五のキースイッチＳ５は、ピッチ算出装置のストップウオッチ機能のスタート及びストップを入力するためのキーである。
第六のキースイッチＳ６は、ストップウォッチ機能の計測値をクリアするものである。
上記ＣＰＵ３は、上記分周回路２からの信号に基づき、時刻及び時間を計測する機能と、上記キー入力部１０からの入力を処理する機能と、任意の距離を走者が目標時間で走るためのピッチを算出する機能とを有するものである。
【００３６】
次に、上記構成のピッチ算出装置によるピッチの算出の手順について図４のフローチャートと図３及び図５とを用いて説明する。
フラグＭ及びＦが０のときＣＰＵ３の処理は、時計表示モードとなっており、図３の時計表示モード画面Ａに示すように表示部９に現在の時刻、日付、曜日を表示するようになっている（図４のステップＡ１）。
【００３７】
そして、走者が任意の距離を目標時間で走るためのピッチを求める際には、キー入力部の第二のキースイッチＳ２からのオン信号の入力によりフラグＦを１にしてＣＰＵ３の処理を時計表示モードからステップＡ２の試走モード（第一の試走モード、第二の試走モード）に切り換える。
試走モードにした後は、最初に第一の試走におけるピッチの設定と、該ピッチに基づいて走者が任意の距離Ｘを走る際の試走時間の測定とを行なう（ステップＡ３）。
【００３８】
すなわち、上記第四のキースイッチＳ４によりピッチを設定する。ここでは、図３の第一の試走画面Ｂに示すようにピッチを例えば１９０（歩数／分）に設定する。上記ピッチは、図２に示すピッチ１のメモリ領域５ｄに記憶される。そして、上記ピッチに基づいてＣＰＵ３は、ピッチ信号を増幅回路６に出力し、スピーカ７から１９０／分の周期でピッチ音を報音する。
そして、走者は、図５に示すように上記ピッチ音に対応するピッチで、任意の距離ｘを有するコースＸを走る。即ち、上記コースＸの始点において、第五のキースイッチＳ５を押すことによりストップウォッチ機能をスタートさせると共にピッチ音に合わせて走り始め、コースＸの終点において、再び第五のキースイッチＳ５を押すことによりストップウォッチ機能をストップさせ、コースＸの試走時間を測定する。この試走時間はメモリ領域５ｅに記憶される。
【００３９】
なお、ここで第一の試走の試走時間を２１秒とする。
次に、試走モードにおいて、第三のキースイッチＳ３を押すことにより図３に示す第一の試走モード画面Ｂから第二の試走モード画面Ｃに切り換わり、第二の試走におけるピッチの設定と、該ピッチに基づいて走者が任意の距離ｘのコースＸ’を走る際の試走時間の測定とを第一の試走と同様に行なう（ステップＡ４）。
なお、上記第二の試走における試走距離は、上記第一の試走と同一の距離ｘである必要があり、第一の試走と同じコースＸで第二の試走を行なうことが好ましい。また、第二の試走の際に設定されるピッチは、第一の試走のピッチと異なる必要がある。
【００４０】
ここで第二の試走のピッチを１２０（歩数／分）とし、試走時間が４６秒であったことにする。尚、このピッチ１２０と試走時間４６秒は各々メモリ領域５ｆ、５ｇに記憶される。
次に、ＣＰＵ３は、走者が距離ｘのコースＸ、Ｘ’を走る際のピッチと試走時間との関係式を以下のものとし、関係式の係数ａと定数ｂを求める。
Ｐ＝ａＴ＋ｂ
Ｐ：ピッチ
Ｔ：試走時間
【００４１】
すなわち、上記ピッチＰと試走時間Ｔに上記第一の試走及び第二の試走で設定されたピッチと測定された試走時間を代入し、以下の連立方定式としてａ、ｂを求める。
１９０＝２１ａ＋ｂ
１２０＝４６ａ＋ｂ
ここで、ａ＝−２．８、ｂ＝２４８．８となり、上記関係式は、
Ｐ＝−２．８Ｔ＋２４８．８となる。
【００４２】
この関係式は、上記第一及び第二の試走を行なった走者固有のものである。
次に第三の試走を行なうことになるが、この際に走るコースＹは、目標時間を設定して走るべきコースＹ’と同じ距離ｙを有することが必要であり、目標時間を設定して走るコースＹ’と同じコースであることが好ましい。
まず、第一のキースイッチＳ１を押し、続いて第三のキースイッチＳ３を押すことにより図３に示す第三の試走モードのピッチ設定画面Ｅに切り換え、第三の試走におけるピッチを第一及び第二の試走と同様にして領域５ｋに設定する（ステップＡ５）。
次いで、第三のキースイッチＳ３を押して第三の試走モードの時間測定画面Ｄに切り換え、上記コースＹを試走し試走時間を計測する（ステップＡ６）。
【００４３】
そして、ここでは、第三の試走の際のピッチを１８０とし、試走時間が５０秒であったものとする。
ここで、上記関係式にピッチ１８０を代入すると、
１８０＝−２．８Ｔ＋２４８．８
Ｔ＝２４．５７となる。すなわち、上記走者がピッチ１８０で上記距離ｘを走った際の試走時間は、上記関係式から２４．５７秒になる。
【００４４】
次に、第一のキースイッチＳ１を押すことにより、実走モードの目標時間設定画面Ｈに切り換え、目標時間を第四のキースイッチＳ４で入力する（ステップＡ７）。
そして、第三のキースイッチＳ３を押すことにより、実走モードのピッチ表示画面Ｇに切り換えるとともに、上記第三の試走の試走時間（５０秒）と目標時間（６０秒）との比から、上記距離ｘを上記目標時間のペースで走った際の試走時間を求める。
すなわち、６０：５０＝Ｔ：２４．５７
Ｔ＝２９．４８４
【００４５】
次に、上記距離ｙを目標時間６０秒のペース（走行速度）で走るのと同じペースで距離ｘを走った際の試走時間が求められたことから、この試走時間を上記関係式に代入することによりピッチを求めることができる。
Ｐ＝−２．８×２９．４８４＋２４８．８＝１６６．２４
この求められたピッチＰが、距離ｙを目標時間６０秒のペースで走る場合と同じペースで距離ｘを走る際のピッチとなる。従って、距離ｙを同様のピッチで走ることにより目標時間６０秒を達成することが可能である。
したがって、ピッチＰ＝１６６．２４が、目標時間を設定された距離ｙのコースＹ’を走るための算出ピッチとなり、図３に示すピッチ表示画面Ｇに表示される（ステップＡ８）。
上記算出ピッチを求める際には、第一の試走の試走距離と第二の試走の試走距離とが同じであることと、第三の試走の試走距離と目標時間を設定して実際に走る距離とが同じであることが必要となるが、各コースの距離を入力する必要はない。
【００４６】
また、上記算出ピッチが求められた段階で、ＲＡＭ５の算出ピッチの領域５ｌに記憶される。そして、ＣＰＵ３は、上記算出ピッチに対応してピッチ信号を増幅回路６に出力し、スピーカ７から目標時間６０秒で走るためのピッチ１６６に対応したピッチ音を出力する。したがって、走者が該ピッチ音に合わせて走ることにより、上記目標時間に近い時間で、上記コースＹ’を走ることができる。
【００４７】
次に、ＣＰＵ３によって実際に行なわれるキー入力部１０からの入力処理と、モードの切り換えと、表示部の画面の切り換えについて、図６及び図７のフローチャートを用いて説明する。
まず、キー入力によりモードを切り換える際のフラグＭ、Ｆ、Ｎ、Ｌ、Ｐとストップウォッチ機能用フラグＳについて説明する。
なお、フラグＭ、Ｆ、Ｎ、Ｌ、Ｐは、上述の表示部９の画面切り換えにも用いられており、フラグの説明は図３を参照して説明する。
フラグＭは、時計表示モード（画面Ａ）、第一の試走モード（画面Ｂ）及び第二の試走モード（画面Ｃ）と、第三の試走モード（画面Ｄ、画面Ｅ）と、実走モード（画面Ｈ、画面Ｇ）とを切り換えるためのものであり、それぞれ、各モードにフラグＭの値として０、１、２が割り振られている。
【００４８】
フラグＦは、フラグＭ＝０の際に、時計表示モード（画面Ａ）と第一及び第二の試走モード（画面Ｂ、画面Ｃ）を切り換えるものであり、時計表示モードはＦ＝０とされ、第一及び第二の試走モード（画面Ｂ、画面Ｃ）はＦ＝１とされている。
フラグＮは、フラグＭ＝０、フラグＦ＝１の際に、第一の試走モード（画面Ｂ）と第二の試走モード（画面Ｃ）を切り換えるものであり、第一の試走モード（画面Ｂ）はＮ＝０、第二の試走モード（画面Ｃ）はＮ＝１とされている。
フラグＬは、フラグＭ＝１、すなわち、第三の試走モード（画面Ｄ、画面Ｅ）の際に、第三の試走モードにおける試走時間測定画面Ｄと、ピッチ設定画面Ｅとを切り換えるものであり、試走時間測定画面ＤはフラグＬ＝０とされ、ピッチ設定画面ＥはフラグＬ＝１とされている。
【００４９】
フラグＰは、フラグＭ＝２、すなわち実走モード（画面Ｈ、画面Ｇ）の際に、実走モードにおける目標時間設定画面Ｈと、ピッチ表示画面Ｇとを切り換えるものであり、目標時間設定画面ＦはフラグＰ＝０とされ、ピッチ表示画面ＧはフラグＰ＝１とされている。
そして、各キーが押された際にＣＰＵ３がキー処理に入るが、まず、第一のキースイッチＳ１が押された際には（ステップＢ１）、フラグＭの値に１を加算して処理を終了する（ステップＢ２）。なお、フラグＭの値が３になった際には、フラグＭ＝０とする。
【００５０】
第二のキースイッチＳ２が押された際には（ステップＢ３）、フラグＭの値が０かどうかを判断し（ステップＢ４）、フラグＭが０以外の場合は処理を終了する。そしてフラグＭが０の場合には、フラグＦが０かどうかを判断し（ステップＢ５）、フラグＦが０の場合は、フラグＦを１とする（ステップＢ６）。また、既にフラグＦが１の場合には、フラグＦを０に戻すとともに（ステップＢ７）、上述の第一の試走及び第二の試走が終わって二つのピッチ及び試走時間が入力されたものとして、関係式Ｐ＝ａＴ＋ｂの係数ａと定数ｂを算出する（ステップＢ８）。
【００５１】
次に第三のキースイッチＳ３が押された際には（ステップＢ９）、まずフラグＭが０かどうかを判断する（ステップＢ１０）。
そして、フラグＭが０の場合には、次にフラグＦが１かどうか判断し（ステップＢ１１）、フラグＦが１でない場合には、処理を終え、フラグＦが１の場合には、フラグＮが０かどうか判断する（ステップＢ１２）。そして、フラグＮが０の場合は、フラグＮを１として表示部９の画面及びＣＰＵ３の処理を第二の試走モードとし（ステップＢ１３）、フラグＮが１の場合は、フラグＮを０として表示部９の画面及びＣＰＵ３の処理を第一の試走モードとする（ステップＢ１４）。
【００５２】
一方、フラグＭが０以外の場合には、フラグＭが１かどうかを判断し（ステップＢ１５）、フラグＭが１の場合には、表示部９の画面及びＣＰＵ３の処理が第三の試走モードとなっているので、次にフラグＬが０かどうかを判断し（ステップＢ１６）、フラグＬが０の場合には、フラグＬを１とし、表示部９の画面及びＣＰＵ３の処理を第三の試走モードの時間測定画面Ｄからピッチ設定画面Ｅに切り換え（ステップＢ１７）、フラグＬが１の場合には、フラグＬを０とし、表示部９の画面及びＣＰＵ３の処理を上記ピッチ設定画面Ｅから時間測定画面Ｄに切り換える（ステップＢ１８）。
【００５３】
さらに、フラグＭが０もしくは１でない場合、すなわちＭが２の場合には、表示部９の画面及びＣＰＵ３の処理が、実走モードとなっているので、フラグＰが０かどうか判断し（ステップＢ１９）、フラグＰが０の場合には、第三の試走が終了し、第三の試走のピッチ及び試走時間が入力されたものと判断するとともに目標時間が入力されたものと判断し、フラグＰを１として表示部９の画面及びＣＰＵ３の処理を実走モードの目標時間設定画面Ｈからピッチ表示画面Ｇに切り換え（ステップＢ２０）、ピッチを算出して表示部９に表示する（ステップＢ２１）。
【００５４】
また、フラグＰが０以外の場合には、フラグＰを０とし、表示部９の画面及びＣＰＵ３の処理をピッチ算出モードから目標時間入力モードに切り換えキー処理を終了する（ステップＢ２２）。
次に、第四のキースイッチＳ４が押された場合には（ステップＢ２３）、表示部９の画面及びＣＰＵ３の処理が第一ないし第三の試走モード（Ｍ＝０もしくは１）のいずれかにおいては、ピッチの設定のための数値の入力が行なわれることになり、実走モード（Ｍ＝２）においては、目標時間設定のための数値の入力が行なわれる（ステップＢ２４）。
【００５５】
そして、第五のキースイッチＳ５が押された場合には（ステップＢ２５）、まず、フラグＭが０、かつ、フラグＦが１かどうか判断し（ステップＢ２６）、フラグＭが０でフラグＦが１の場合には、フラグＳが１かどうか判断し（ステップＢ２７）、次いで、フラグＮが０かどうか判断する（ステップＢ２８）。
ここで、フラグＮが０の場合には、第一の試走モードとなっているので、第一の試走モードにおいて処理を行なう。そして、フラグＳが１以外の場合、すなわちＳが０の場合はストップウオッチ機能がストップの状態なので、フラグＳを１としてストップウォッチ機能を作動させ（メモリのタイムレジスタＴ０の値を分周回路からの１／３２秒毎の信号の入力毎に一つずつカウントアップさせる）、キー処理を終了する（ステップＢ２９）。
【００５６】
そして、フラグＳが１の場合は、ストップウォッチ機能が作動した状態なので、フラグＳを０にしてストップウォッチ機能を停止するとともに（ステップＢ３０）、タイムレジスタＴ０の値を第一の試走の試走時間としてメモリの試走時間Ｔ１の領域に記憶して、キー処理を終了する（ステップＢ３１）。
また、フラグＮが１の場合には、第二の試走モードなので、フラグＳを０にするとともに（ステップＢ３２）、上記第一の試走モードと同様の処理を第二の試走モードにおいて行なう。なお、この際にタイムレジスタＴ０の値は、第二の試走の試走時間としてメモリの試走時間Ｔ２の領域に記憶する（ステップＢ３３）。
【００５７】
次に、フラグＭが０、かつ、フラグＦが１でない場合に、フラグＭが１、かつ、フラグＬが０がどうか判断し（ステップＢ３４）、フラグＭが１、かつ、フラグＬが０以外の場合には、キー処理を終了する。そして、フラグＭが１、かつ、フラグＬが０の場合には、フラグＳが１かどうかを判断し（ステップＢ３５）、第三の試走モードにおける処理を行なう。
そして、フラグＳが１でない場合には、フラグＳを１とすることにより、ストップウォッチ機能をスタートし（ステップＢ３５）、第三の試走における試走時間の計測に入り、フラグＳが１の場合には、フラグＳを０とすることにより、ストップウォッチ機能が停止し、第三の試走における試走時間の計測を終了する（ステップＢ３６）。
【００５８】
次に、図７のフローチャートを参照し、第一の実施例の時計機能を有するピッチ算出装置の全体の流れを説明する。
まず、停止して待機中（ＨＡＬＴ）のＣＰＵ３に対し、分周回路から１／３２秒毎に時間タイミングを示す信号が入力される（ステップＣ１）と、周知の時刻を進める時計処理が行なわれる（ステップＣ２）。そして、次に、ストップウォッチ機能のスタート・ストップを示すフラグＳが１かどうか判断し（ステップＣ３）、Ｓが１の場合、すなわち、ストップウォッチ機能が作動中の場合には、上記分周回路からの１／３２秒毎の信号に対応してタイムレジスタＴ０が一つカウントアップされる（ステップＣ４）。
【００５９】
次に、ピッチ音を報音する処理（ステップＣ５）に入るが、ピッチ音報音処理においては、上記第一ないし第三の試走モードで設定されたピッチもしくは実走モードで算出されたピッチに対応して報音するようになっており、これらピッチの間隔の時間が経過するたびに、ＣＰＵ３から増幅回路６にピッチ信号が出力され、スピーカからピッチ音が出力されるようになっている。
次に、時刻の経過やストップウォッチ機能の作動により数値が変更された表示が表示部９に表示される（ステップＣ６）。
【００６０】
また、上記ＨＡＬＴ状態のＣＰＵ３に、キー入力部１０からのキー入力があった場合には（ステップＣ１）、割り込み処理として上述のキー処理が行なわれ、表示部９に上記キー処理に対応したモードの表示が行なわれる（ステップＣ７）。
以上のような構成のピッチ算出装置によれば、試走として、予め設定されたピッチで走者が走ることにより、ピッチと試走時間との走者固有の関係式を導きだして目標時間に対応したピッチを算出することができる。
【００６１】
さらに、同じ距離ｘのコースＸ、Ｘ’を２回試走することにより、上記関係式を導きだしており、特にコースＸ、Ｘ’の距離を入力する必要がない。すなわち、同じコースＸで第一及び第二の試走を行なうようにすれば、特にコースＸの距離が陸上競技用のグランドのように既知である必要はなく、普段のランニングコースなど、どこででも上記関係式を求めることができる。
【００６２】
また、目標時間で走るべきコースＹ’と同じ距離のコースＹで第三の試走を行ない、第三の試走における設定ピッチを上記関係式に導入して、上記第一及び第二の試走の際の距離ｘにおける第三の試走の設定ピッチでの試走時間を求め、該試走時間に対して目標時間と第三の試走の試走時間との比をかけることにより、上記目標時間で距離ｙを走る際のピッチで距離Ｘを走った際の移動時間を求め、次いで、この移動時間を上記関係式に代入することにより、目標時間で距離Ｙを走る際のピッチを求めることができる。
【００６３】
すなわち、上記関係式を求めるための第一及び第二の試走用のコースの距離ｘと、目標時間で走るべきコースの距離ｙとが同じである必要はなく、一人の走者について一度上記関係式を求めてしまえば、距離の異なる複数のコースにおいて上記関係式を用いるとともに、それぞれのコースにおいて一回だけ第三の試走を行なうことにより目標時間で走るためのピッチを算出することができる。
【００６４】
また、最初に目標時間を設定したコースとは、異なるコースにおいて目標時間を設定してピッチを算出する際にも、特にコースの距離を入力する必要はない。したがって、第一の実施例のピッチ算出装置によれば、距離が既知のコースでなくとも容易に目標時間に対応するピッチを算出することができるとともに、一度上記関係式を求めてしまえば、距離の異なる複数のコースにおいて、さらに容易に目標時間に対応するピッチを算出することができる。
【００６５】
次に、本発明のピッチ算出装置の第二の実施例を図面を参照して説明する。
なお、この第二の実施例におけるピッチ算出装置も前述の第一の実施例と同様に、本発明のピッチ算出装置を電子式腕時計に組み込んで設けたものである。
この第二の実施例に係わるピッチ算出装置と前述の第一の実施例に係わるピッチ算出装置との相違は、前述の第一の実施例に係わるピッチ算出装置が第一ないし第三の試走に当たってキー入力部１０からの入力に従ってピッチを設定するのに対して、この第二の実施例に係わるピッチ算出装置では、第一ないし第三の試走とともに自動的にピッチを設定できる点にある。
【００６６】
このため、この第二の実施例におけるピッチ算出装置は、第一ないし第三の試走時において歩数を計数する歩数計数機能及び計数した歩数から第一ないし第三の試走時のピッチを算出するピッチ算出機能を有するものである。
なお、この第二の実施例のピッチ算出装置でも、第一ないし第三の試走を行って所定のデータを得るとともに上述の関係式を求め、この関係式から目標時間を決めた実走におけるピッチを求める手順は、前述の第一の実施例のピッチ算出装置と同様である。
【００６７】
図８は、第二の実施例のピッチ算出装置の基本構成を示すブロック図である。図８において、１０１は発振回路、１０２は分周回路、１０３はＣＰＵ、１０４はＲＯＭ、１０５はＲＡＭ、１０６は増幅回路、１０７はスピーカ、１０８は表示駆動回路、１０９は表示部、１１０はキー入力部、１１１は歩数計数部であり、この歩数計数部１１１を除いた各部は前述の第一の実施例のピッチ算出装置に対応する各部と同一構成である。
【００６８】
歩数計数部１１１は、図８のように、加速度センサ１１２と、波形整形部１１３と、カウンタ１１４で構成される。
加速度センサ１１２は、周知のものであり、例えばピエゾ素子が使用され、センサケースの内部に一端部を固定して板状のピエゾ素子を設けるとともに両側面にリード線を接続した構造を有する。この加速度センサ１１２では、歩行動作や走行動作で振動が加わるとピエゾ素子が板厚方向に屈曲して電圧が発生する。しかして、ピエゾ素子の両側面に接続したリード線から歩行動作や走行動作での振動に対応した電圧波形が得られ、これらの電圧波形から歩数の計数が可能になるものである。
【００６９】
また、波形整形部１１３は加速度センサ１１２から得られた脈流波形を矩形波のパルス波形に整形して出力するものであり、図示はしないが、ローパスフィルタ、増幅回路及びオペアンプで構成されている。この波形整形部１１３では、加速度センサ１１２からの信号がローパスフィルタにより高周波数成分が除去され、この信号が増幅回路を介してオペアンプに出力され、オペアンプからは歩行や走行動作に対応した正確なパルス信号がカウンタ１１４に出力されることになる。
また、カウンタ１１４は、波形整形部１１３からのパルス信号数をカウントし、カウント結果をＣＰＵ１０３に出力する。
【００７０】
また、試走モードにおける歩数の測定中には、波形整形部１１３から送出されるパルス信号はＣＰＵ１０３に入力され、ＣＰＵ１０３はパルス信号に対応してピッチ信号を増幅回路１０６に出力し、スピーカ１０７から波形整形部１１３からのパルス信号に対応した、言い換えると、歩数に対応したピッチ音が出力されるようになっている。
【００７１】
また、図９はＲＡＭ１０５の構成を示す。図９において、１０５ａは上記表示部１０９に表示するデータを記憶する表示レジスタの領域、１０５ｂは上記分周回路１０２からの信号の入力に対応して経過する時刻を記憶する計時レジスタの領域、１０５ｃは後述する表示モードの切換用フラグＭ’、Ｆ’、Ｎ’、Ｑ’を記憶する領域、１０５ｄはストップウオッチ計測時に計測時間を記憶するタイムレジスタＴ’０の領域、１０５ｅは第一の試走におけるピッチを記憶するピッチＰ’１の領域、１０５ｆは上記第一の試走の際の試走時間を記憶する試走時間Ｔ’１の領域、１０５ｇは第二の試走におけるピッチを記憶するピッチＰ’２の領域、１０５ｈは第二の試走の際の試走時間を記憶するＴ’２の領域である。
【００７２】
また、１０５ｉ及び１０５ｊはピッチと試走時間との後述する関係において、係数ａ’を記憶するａ’の領域及び定数ｂ’を記憶するｂ’の領域、１０５ｋは第三の試走におけるピッチを記憶するピッチＰ’３の領域、１０５ｍは第三の試走の際の試走時間を記憶する試走時間Ｔ’３の領域である。
また、１０５ｎ、１０５ｐ及び１０５ｑは各々第一ないし第三の試走時に歩数係数部１１１で計数された歩数が記憶される歩数ＰＥ１の領域、歩数ＰＥ２の領域及び歩数ＰＥ３の領域である。
【００７３】
また、１０５ｒはキー入力部１１０から入力された目標時間を記憶する目標時間Ｔ’４の領域、１０５ｓはＣＰＵ１０３により演算され、かつ、上記目標時間で走者が走るためのピッチを記憶する算出ピッチＰ’４の領域、１０５ｔは試走時間を測定するためのストップウォッチ機能及び歩数を計数する歩数計数機能のスタートしてからストップまでを示すフラグＳ’を記憶する領域である。
【００７４】
なお、上記ピッチＰ’１の領域１０５ｅ、ピッチＰ’２の領域１０５ｇ及びピッチＰ’３の領域１０５ｋの各領域には、上記歩数ＰＥ１の領域１０５ｎ、歩数ＰＥ２の領域１０５ｐ及び歩数ＰＥ３の領域１０５ｑの各歩数と上記試走時間Ｔ’１の領域１０５ｆ、試走時間Ｔ’２の領域１０５ｈ及び上記試走時間Ｔ’３の領域１０５ｍの各データとに基づいてＣＰＵ１０３が演算したピッチデータが記憶される。
【００７５】
次に、表示部１０９で表示される表示画面について説明すると、図１０に図示するように、ＣＰＵ１０３の後述する処理に対応して、計時表示モード画面Ａ’と、第一の試走モード画面Ｂ’と、第二の試走モード画面Ｃ’と、第三の試走モードの時間測定画面Ｄ’と、実走モードの目標時間設定画面Ｈ’及びピッチ表示画面Ｇ’とを有する。
【００７６】
上記キー入力部１１０は、後述する第一ないし第六のキースイッチＳ’１、Ｓ’２、Ｓ’３、Ｓ’４、Ｓ’５、Ｓ’６からなるものであり、各キースイッチからオン・オフ信号を出力され、第一ないし第三のキースイッチＳ’１、Ｓ’２、Ｓ’３は、モード切換用に用いられる。
第四のキースイッチＳ’４は、上記目標時間を入力するための数値入力用のものであり、周知のディジタル式の時計の数値入力に用いられるキースイッチと同様に、第四のキースイッチＳ’４を押してオン状態にする毎に数値が増加し、所定の値まで増加すると、０に戻るものである。
【００７７】
第五のキースイッチＳ’５は、ピッチ算出装置のストップウォッチ機能及び歩数計数記憶の両機能のスタート及びストップを入力するためのキーである。
第六のキースイッチＳ’６は、ストップウォッチ機能及び歩数計数機能の両機能の計測値をクリアするためのものである。
上記ＣＰＵ１０３は、上記分周回路１０２からの信号に基づき、時刻及び時間を計測する機能と、上記キー入力部１１０からの入力を処理する機能と、第一ないし第三の試走でのピッチを算出する機能と、任意の距離を走者が目標時間で走るためのピッチを算出するための機能とを有するものである。
【００７８】
次に、上記構成のピッチ算出装置によるピッチ算出の手順について図１１のフローチャートと図１０及び図５によって説明する。
フラグＭ’及びＦ’が０のときＣＰＵ１０３の処理は、時計表示モードとなっており、図１０の計時表示モード画面Ａ’に示すように表示部１０９に現在時刻、日付、曜日を表示するようになっている。（図１１のステップＤ１）。
【００７９】
そして、走者が任意の距離を目標時間で走るためのピッチを求める際には、まず、キー入力部１１０の第二のキースイッチＳ’２からのオン信号の入力によりフラグＦ’を１にしてＣＰＵ１０３の処理を時計表示モードからステップＤ２の試走モード（第一の試走モード、第二の試走モード）に切り換える。
試走モードにおいては、最初に第一の試走における走者が任意の距離ｘのコースＸを走る際の歩数の計数と、試走時間（走者が距離ｘ間を所定のピッチで走る移動時間）の測定とを行い、計数された歩数と試走時間とによって第一の試走に関するピッチを算出する（ステップＤ３）。
【００８０】
図１０に示される第一の試走モードの歩数測定画面Ｂ’では、第一の試走とともにカウントされる歩数の値が画面に表示される。この第一の試走のスタート時に、第五のキースイッチＳ、５を押すことにより歩数計数機能及びストップウォッチ機能が同時にスタートする。ただし、ストップウォッチの計測値は画面に表示しない。
【００８１】
歩数計数機能がスタートすると、歩数計数部１１１は走者の走行歩数に従って電圧波形を発生し更にこれを波形整形したパルス信号をＣＰＵ１０３に出力する。このパルス信号を受けてＣＰＵ１０３はピッチ信号を増幅回路１０６に出力し、スピーカ１０７からピッチ音が報音される。そして、走者は、図５に示すように、上記ピッチ音に合わせて距離ｘを有するコースＸを走り始める。コースＸを走り終わった時に、走者は再び第五のキースイッチＳ’５を押すことによりストップウオッチ機能及び歩数計数機能をストップさせる。
【００８２】
これにより、歩数計数部１１１のカウンタ１１４に計数されたコースＸの第一の試走に関する合計の歩数はＣＰＵ１０３に送られ、更にＲＡＭ１０５の歩数ＰＥ１の領域１０５ｎに記憶される。また、タイムレジスタＴ’０に記憶されている試走時間はＲＡＭ１０５の試走時間Ｔ’１の領域１０５ｆに記憶される。
これらのデータに基づいてＣＰＵ１０３では第一の試走に関するピッチが算出され、算出されたピッチはＲＡＭ１０５のピッチＰ’１の領域１０５ｅに記憶される。
【００８３】
ここでは、例えば、歩数が６６で試走時間が２０秒として計測されたとする。従って、ピッチは、例えば１９８（／分）となる。
なお、走者は、第一の試走に当たって任意の距離ｘを一定のペースで走行することが肝要である。このことは、以下の第二及び第三の試走においても同様である。走者は上記のようにスピーカ１０７からの報音に従ってピッチを整えることができる。
【００８４】
次に、試走モードにおいて、第三のキースイッチＳ’３を押すことにより図１０に示す第一の試走画面Ｂ’から第二の試走画面Ｃ’に切り換える。そして、上記第一の試走と同様に、第二の試走における走者が任意の距離ｘのコースＸ’を走る際の歩数の計数と、試走時間（走者が距離ｘ間を所定のピッチで走る移動時間）の測定とを行い、計測された歩数と試走時間とによって第二の試走に関するピッチを算出する（ステップＤ４）。
【００８５】
第二の試走で計数された歩数は、ＲＡＭ１０５の歩数ＰＥ２の領域１０５ｐに記憶され、試走時間はＲＡＭ１０５の試走時間Ｔ’２の領域１０５ｈに記憶される。そして、これらのデータに基づいてＣＰＵ１０３では第二の試走に関するピッチが算出され、算出されたピッチはＲＡＭ１０５のピッチＰ’２の領域１０５ｇに記憶される。
【００８６】
第二の試走の結果は、歩数が９２、試走時間が４６秒、ピッチは１２０であったとする。なお、上記第二の試走における試走距離は、上記第一の試走と同様の距離ｘである必要があり、第一の試走と同じコースＸで第二の試走を行うことが好ましい。また、第二の試走の際に設定されるピッチは、第一の試走のピッチと異なる必要がある。
【００８７】
次に、ＣＰＵ１０３は、走者の距離ｘのコースＸ、Ｘ’を走る際のピッチと試走時間との関係式を以下のものとし、関係式の係数ａ’と定数ｂ’を求める。
Ｐ’＝ａ’Ｔ’＋ｂ’
ここで、Ｐ’：ピッチ、Ｔ’：試走時間を示す。
【００８８】
すなわち、上記ピッチＰ’と試走時間Ｔ’に上記第一の試走時間及び第二の試走で得られたピッチと試走時間を代入し、以下の連立方程式としてａ’、ｂ’を求める。
１９８＝２０ａ’＋ｂ’
１２０＝４６ａ’＋ｂ’
上記連立方程式を解いた結果ａ’＝−３、ｂ’＝２５８となり、上記関係式は、Ｐ’＝−３Ｔ’＋２５８となる。
【００８９】
上記の関係式の計数ａ’と定数ｂ’は、ＲＡＭ１０５のメモリ領域１０５ｉ、１０５ｊに記憶される。
この関係式は、上記第一及び第二の試走を行った走者固有のものである。
【００９０】
次に、第三の試走を行う。第一のキースイッチＳ’１を押して図１０に示す第三の試走モードの時間測定画面Ｄ’に切り換える。この状態で走者は上述の第一及び第二の試走と同様な手法で、距離ｙを有するコースＹのスタート及び終了地点で第五のキースイッチＳ’５を押すことによりストップウォッチ機能及び歩数計数機能を同時にスタート及びストップさせることで、第三の試走における走者が任意の距離ｙのコースＹを走る際の歩数の計数と、試走時間（走者が距離ｙ間を所定のピッチで走る移動時間）の測定とを行い、計測された歩数と試走時間とによって第三の試走に関するピッチを算出する（ステップＤ５）。
【００９１】
図１０に示す第三の試走モードの時間測定画面Ｄ’で第五のキースイッチＳ’５を操作すれば、画面上で計測時間が表示される。なお、このとき、歩数の計数値は画面に表示されないが、時間測定画面Ｄ’での第五のキースイッチＳ’５の操作によって歩数の計測も同時に行われる。
この第三の試走で計測された歩数はＲＡＭ１０５の歩数ＰＥ３のメモリ領域１０５ｑに記憶され、試走時間はＲＡＭ１０５の試走時間Ｔ’３の領域１０５ｍに記憶される。これらのデータに基づいてＣＰＵ１０３では第三の試走に関するピッチが算出され、算出されたピッチはＲＡＭ１０５のピッチＰ’３の領域１０５ｋに記憶される。
【００９２】
この第三の試走の結果では、歩数が１５０、試走時間が５０秒、ピッチ１８０であったとする。
ここで、上記関係式にピッチ１８０を代入すると、
１８０＝−３Ｔ＋２５８
Ｔ＝２６となる。すなわち、上記走者がピッチ１８０で上記距離ｘを走った際の試走時間は、上記関係式から２６秒になる。
【００９３】
次に、第一のキースイッチＳ’１を押すことにより、実走モードの目標時間設定画面Ｈ’に切り換え、上記第三の試走と同じ距離ｙを有するコースＹ’を走行する目標時間を第四のキースイッチＳ’４で入力する（ステップＤ６）。
この目標時間は、ＲＡＭ５の目標時間Ｔ’４のメモリ領域１０５ｒに記憶される。
そして、第三のキースイッチＳ’３を押すことにより、実走モードのピッチ表示画面Ｇ’に切り換えるとともに、上記第三の試走時間（５０秒）と目標時間（６０秒）との比から、上記距離ｘを上記目標のペースで発した際の試走時間を求める。
すなわち、６０：５０＝Ｔ’：２６
Ｔ’＝３１．２
【００９４】
次に、上記距離ｙを目標時間６０秒のペース（走行速度）で走るのと同じペースで距離ｘを走った際の試走時間が求められたことから、この試走時間を上記関係式に代入することによりピッチを求めることができる。
Ｐ＝−３×３１．２＋２５８＝１６４．４
この求められたピッチＰが、距離ｙを目標時間６０秒のペースで走る場合と同じペースで距離ｘを走る際のピッチとなる。従って、距離ｙを同様のピッチで走ることにより目標時間６０秒を達成することが可能である。
【００９５】
従って、ピッチＰ＝１６４．４が目標時間を設定された距離ｙのコースＹ’を走るための算出ピッチとなり、図１０に示すピッチ表示画面Ｇ’に表示される（ステップＤ７）。
上記算出ピッチを求める際には、第一の試走の試走距離と第二の試走の試走距離とが同じであることと、第三の試走の試走距離と目標時間を設定して実際に走る距離とが同じであることが必要となるが各コースの距離を入力する必要はない。
【００９６】
また、上記算出ピッチが求められた段階で、該算出ピッチがＲＡＭ１０５の算出ピッチＰ’４の領域１０５ｓに記憶される。そして、ＣＰＵ１０３は、上記算出ピッチに対応してピッチ信号を増幅回路１０６に出力し、スピーカ１０７から目標時間６０秒で走るためのピッチ１６４に対応したピッチ音を出力する。従って、走者が該ピッチ音に合わせて走ることにより、上記目標時間に近い時間で、上位コースＹ’を走ることができる。
【００９７】
次に、ＣＰＵ１０３によって実際に行われるキー入力部１１０からの入力処理と、モード切り換えと、表示部の画面の切り換えについて、図１２及び図１３のフローチャートを用いて説明する。
まず、キー入力によりモードを切り換える際のフラグＭ’、Ｆ’、Ｎ’、Ｑ’とストップウォッチ及び歩数計数機能フラグＳ’について説明する。
なお、フラグＭ’、Ｆ’、Ｎ’、Ｑ’は、上述の表示部１０９の画面切り換えにも用いられており、フラグの説明は図１０を参照して説明する。
【００９８】
フラグＭ’は、時計表示モード（画面Ａ’）、第一の試走モード（画面Ｂ’）及び第二の試走モード（画面Ｃ’）と、第三の試走モード（画面Ｄ’）と、実走モード（画面Ｈ’、画面Ｇ’）とを切り換えるためのものであり、各々、各モードにフラグＭ’の値として０、１、２が割り振られている。
フラグＦ’は、フラグＭ’＝０の際に、時計表示モード（画面Ａ’）と第一及び第二の試走モード（画面Ｂ’、画面Ｃ’）とを切り換えるものであり、時計表示モードはＦ’＝０とされ、第一及び第二の試走モード（画面Ｂ’、画面Ｃ’）はＦ’＝１とされている。
【００９９】
フラグＮ’は、フラグＭ’＝０、フラグＦ’＝１の際に、第一の試走モード（画面Ｂ’）と第二の試走モード（画面Ｃ’）とを切り換えるものであり、第一の試走モード（画面Ｂ’）はＮ’＝０、第二の試走モード（画面Ｃ’）はＮ’＝１とされている。
フラグＱ’は、フラグＭ’＝２、すなわち、実走モード（画面Ｈ’、画面Ｇ’）の際に、実走モードにおける目標時間設定画面Ｈ’とピッチ表示画面Ｇ’とを切り換えるものであり、目標時間設定画面Ｈ’はフラグＱ’＝０とされ、ピッチ表示画面Ｇ’はフラグＱ’＝１とされている。
【０１００】
そして、各キーが押された際にＣＰＵ１０３がキー処理に入るが、まず第一のキースイッチＳ’１が押された際には（ステップＥ１）、フラグＭ’が０かどうかを判断し（ステップＥ２）、フラグＭ’が０の場合はフラグＭ’を１として表示部１０９の画面及びＣＰＵ１０３の処理を第三の試走モードとし（ステップＥ３）、フラグＭ’が０以外の場合には、フラグＭ’に１を加算して処理を終了する（ステップＥ４）。なお、フラグＭ’の値が３になった際には、フラグＭ’＝０とする。
【０１０１】
第二のキースイッチＳ’２が押された際には（ステップＥ５）、フラグＭ’の値が０かどうかを判断し（ステップＥ６）、フラグＭ’が０以外の場合は処理を終了する。そして、フラグＭ’が０の場合には、フラグＦ’が０かどうかを判断し（ステップＥ７）、フラグＦ’が０の場合には、フラグＦ’を１とする（ステップＥ８）。また、既にフラグＦ’が１の場合には、フラグＦ’を０に戻すとともに（ステップＥ９）、上述の第一の試走及び第二の試走が終わって二つのピッチ及び試走時間が入力されたものとして、関係式Ｐ’＝ａ’Ｔ’＋ｂ’の計数ａ’と定数ｂ’を算出する（ステップＥ１０）。
【０１０２】
次に、第三のキースイッチＳ’３が押された際には（ステップＥ１１）、まずフラグＭ’が０かどうかを判断する（ステップＥ１２）。
そして、フラグＭ’が０の場合には、次にフラグＦ’が１かどうかを判断し（ステップＥ１３）、フラグＦ’が１でない場合には、処理を終え、フラグＦ’が１の場合には、フラグＮ’が０かどうかを判断する（ステップＥ１４）。そして、フラグＮ’が０の場合には、フラグＮ’を１として表示部１０９の画面及びＣＰＵ１０３の処理を第二の試走モードとし（ステップＥ１５）、フラグＮ’が１の場合は、フラグＮ’を０として表示部１０９の画面及びＣＰＵ１０３の処理を第一の試走モードとする（ステップＥ１６）。
【０１０３】
一方、フラグＭ’が０以外の場合には、フラグＭ’が１かどうかを判断し（ステップＥ１７）、フラグＭ’が１の場合には処理を終了する。
さらに、フラグＭ、が０もしくは１でない場合、すなわち、Ｍ’が２の場合には、表示部１０９の画面及びＣＰＵ１０３の処理が、実走モードとなっているので、フラグＱ’が０かどうかを判断し（ステップＥ１８）、フラグＱ’が０の場合には、第三の試走が終了し、第三の試走のピッチ及び試走時間が入力されたものと判断すると共に目標時間が入力されたものと判断し、フラグＱ’を１として表示部１０９の画面及びＣＰＵ１０３の処理を実走モードの目標時間設定画面Ｈ’からピッチ表示画面Ｇ’に切り換え（ステップＥ１９）。ピッチを算出して表示部１０９に表示する（ステップＥ２０）。
【０１０４】
また、フラグＱ’が０以外の場合には、フラグＱ’を０とし、表示部１０９の画面及びＣＰＵ１０３の処理をピッチ算出モードから目標時間入力モードに切り換えキー処理を終了する（ステップＥ２１）。
次に、第四のキースイッチＳ’４が押された場合には（ステップＥ２２）、表示部１０９の画面及びＣＰＵ１０３の処理が実走モード（Ｍ’＝２）において、目標時間設定のための数値の入力が行われる（ステップＥ２３）。
【０１０５】
そして、第五のキースイッチＳ’５が押された場合には（ステップＥ２４）、まず、フラグＭ’が０、かつ、フラグＦ’が１かどうかを判断し（ステップＥ２５）、フラグＭ’が０でフラグＦ’が１の場合には、フラグＳ’が１かどうか判断し（ステップＥ２６）、次いで、フラグＮ’が０かどうか判断する（ステップＥ２７）。
【０１０６】
ここで、フラグＮ’が０の場合には、第一の試走モードとなっているので、第一の試走モードにおいて処理を行う。そして、フラグＳ’が１以外の場合、すなわちＳ’が０の場合はストップウオッチ機能がストップ状態なので、フラグＳ’を１としてストップウォッチ機能を作動させ（ＲＡＭ１０５のタイムレジスタＴ０の値を分周回路からの１／３２秒毎に１つずつカウントアップさせる）、キー処理を終了する（ステップＥ２８）。
【０１０７】
そして、フラグＳ’が１の場合は、ストップウォッチ機能及び歩数計算機能が作動した状態なので、フラグＳ’を０にしてストップウォッチ機能及び歩数計数機能を停止させるとともに（ステップＥ２９）、タイムレジスタＴ’０の値を第一の試走の試走時間としてＲＡＭ１０５の試走時間Ｔ’１の領域に記憶し、歩数計数部１１１のカウンタ１１４の歩数カウント値をＲＡＭ１０５の歩数ＰＥ１の領域１０５ｎに記憶し、これら記憶した歩数及び試走時間からピッチを演算してその算出したピッチ（Ｐ’０１）をＲＡＭ１０５のピッチＰ’１の領域１０５ｅに記憶してキー処理を終了する（ステップＥ３０）。
【０１０８】
また、フラグＮ’が１の場合には、第二の試走モードなので、フラグＳ’を０とするとともに（ステップＥ３１）、上記第一の試走モードと同様の処理を第二の試走モードにおいて行う。なお、この際にタイムレジスタＴ’０の値は、第二の試走の試走時間としてＲＡＭ１０５の試走時間Ｔ’２の領域に記憶し、歩数計数部１１１のカウンタ１１４の歩数カウント値をＲＡＭ１０５の歩数ＰＥ２の領域１０５ｓに記憶し、これらを記憶した歩数及び試走時間からピッチを演算してその算出したピッチ（Ｐ’０２）をＲＡＭ１０５のピッチＰ’２の領域１０５ｇに記憶してキー処理を終了する（ステップＥ３２）。
【０１０９】
次、フラグＭ’が０、かつ、フラグＦ’が１でない場合に、フラグＭ’が１かどうか判断し（ステップＥ３３）、フラグＭ’が１以外の場合には、キー処理を終了する。
そして、フラグＭ’が１の場合には、フラグＳ’が１かどうかを判断し（ステップＥ３４）、第三の試走モードにおける処理を行う。
【０１１０】
そして、フラグＳ’が１でない場合には、フラグＳ’を１とすることにより、ストップウォッチ機能及び歩数計数機能をスタートし（ステップＥ２８）、第三の試走における試走時間の計測及び歩数の計測に入り、フラグＳ’が１の場合には、フラグＳ’を０にすることにより、ストップウォッチ機能及び歩数計数機能を停止し、第三の試走における試走時間及び歩数の計測を終了する（ステップＥ３５）。
【０１１１】
そして、タイムレジスタＴ’０の値を第三の試走の試走時間としてＲＡＭ１０５の試走時間Ｔ’３の領域１０５ｍに記憶し、歩数計数部１１１のカウンタ１１４の歩数カウント値をＲＡＭ１０５の歩数ＰＥ３の領域１０５ｑに記憶し、これら記憶した歩数及び試走時間からピッチを演算してその算出したピッチ（Ｐ’０３）をＲＡＭ１０５のピッチＰ’３の領域１０５ｋに記憶してキー処理を終了する（ステップＥ３６）。
【０１１２】
また、押されたキースイッチが第一ないし第五のキースイッチＳ’１〜Ｓ’５のいすれでもない場合は、第六のキースイッチＳ’６が押されたものであるから、ＲＡＭ１０５のタイムレジスタＴ’０及び歩数ＰＥ１からＰＥ３のデータをクリアし、歩数計数部１１１のカウンタ１１４のカウント値もクリアして、キー処理を終了する（ステップＥ３７）。
【０１１３】
次に、図１３のフローチャートを参照し、第二の実施例の時計機能を有するピッチ算出装置の全体の流れを説明する。
まず、停止して待機中（ＨＡＬＴ）のＣＰＵ１０３に対し、分周回路１０２から１／３２秒毎に時間タイミングを示す信号が入力される（ステップＦ１）と、周知の時刻を進める時計処理が行われる（ステップＦ２）。そして、次に、ストップウォッチ機能のスタート・ストップを示すフラグＳ’が１かどうか判断し（ステップＦ３）、Ｓ’が１の場合、すなわち、ストップウォッチ機能が作動中の場合には、上記分周回路１０２から１／３２秒毎の信号に対応してタイムレジスタＴ’０が一つカウントアップされる（ステップＦ４）。
【０１１４】
次に、ピッチ音を報音する処理（ステップＦ５）に入るが、ピッチ音報音処理においては、上記第一ないし第三の試走時及び実走時に報音するようになっており、実走時には、実走モードで算出されたピッチに対応してこれらピッチの間隔の時間が経過する度に、ＣＰＵ１０３から増幅回路１０６にピッチ信号が出力され、スピーカ１０７からピッチ音が出力されるようになっている。
また、第一ないし第三の試走時には、歩数計数部１１１の加速度センサ１１２の検出信号に基づくパルス信号が歩数計数部１１１からＣＰＵ１０３に入力されるので、このパルス信号に対応してスピーカ１０７からピッチ音が出力されるようになっている。
【０１１５】
次に、時刻の経過やストップウォッチ機能の作動により数値が変更された表示が表示部１０９に表示される。（ステップＦ６）。
また、上記ＨＡＬＴ状態のＣＰＵ１０３に、キー入力部１１０からキー入力があった場合には（ステップＦ１）、割り込み処理として上述のキー操作が行われ、表示部１０９に上記キー処理に対応したモードの表示が行われる（ステップＦ７）。
【０１１６】
従って、この第二の実施例のピッチ算出装置によれば、前述の第一の実施例のピッチ算出装置と同様に、距離が既知のコースでなくとも容易に目標時間に対応するピッチを算出することができるとともに、試走によって走者固有の関係式を導き出してしまえば、距離の異なる複数のコースにおいて、さらに容易に目標時間に対応するピッチを算出することができる。
【０１１７】
また、この第二の実施例のピッチ算出装置によれば、第一ないし第三の試走時に歩数計数部によって歩数が計測され、これに基づいて各試走時のピッチが算出されるので、前述の第一の実施例のピッチ算出装置のようにピッチデータを入力する必要がなく、データ入力操作がより簡単である。
なお、本発明のピッチ算出装置は、実施例のランイングの場合に限らずウォーキングやジョギング等にも使用できる。
【０１１８】
【発明の効果】
以上のように、本発明の請求項１に記載のピッチ算出装置によれば、記憶手段に記憶されている第一の距離における複数のピッチデータ及び移動時間データと、試走記憶手段に記憶されている第一の距離とは異なる第二の距離における試走ピッチデータ及び試走時間データと、目標時間記憶手段に記憶されている第二の距離を実走するための目標時間データとに基づいて、その目標時間データで第二の距離を実走するためのピッチデータを算出することができる。
【０１１９】
また、上記請求項２に記載されたピッチ算出装置によれば、試走した時間を計時する計時手段により、実走に先立って試走する第一の距離を異なるピッチでそれぞれ試走した時間と、実走する距離と同じ第二の距離を試走した時間とを計時することができる。そして、算出手段によって、第一の距離を試走したときの複数の試走時間データ及び複数のピッチデータと、第二の距離を試走したときの試走時間データ及びピッチデータと、第二の距離を実走する際の目標時間データとに基づいて、その目標時間データで第二の距離を実走するためのピッチデータを算出し、算出されたピッチデータに対応するピッチ音を報音することができる。
【０１２０】
具体的には、算出手段によって、記憶手段に記憶されている前記第一の距離を試走したときの複数の試走時間データ及び複数のピッチデータに基づいてピッチデータと移動時間データとの関係を定める関係式に用いられている係数及び定数が求められる。次いで、この求められた係数及び定数を用いた前記関係式に、第二の距離を試走したときのピッチデータを代入することによって第一の距離換算試走時間データが算出され、この算出された第一の距離換算試走時間データに対する第一の距離換算目標時間データが、第二の距離を試走したときの試走時間データに対する目標時間データの関係から計算される。そして、この計算された第一の距離換算目標時間データを、前記求めた係数及び定数を用いた前記関係式に代入することによって第二の入力手段により入力された目標時間データで第二の距離を実走するためのピッチとなるピッチデータが算出され、算出されたピッチデータに対応するピッチ音が報音される。
【０１２１】
上記請求項３に記載のピッチ算出装置によれば、第一の入力手段より入力されたピッチデータに基づいて報音手段から報音を行うことができる。したがって、より正確に第一の入力手段から入力された夫々のピッチデータに従って、第一の距離を試走する時間を計時することができる。
【０１２４】
また、上記請求項４に記載のピッチ算出装置によれば、歩数検出手段が第一の距離及び第二の距離の歩数を検出し、計時手段がこの際の移動時間を計時するため、第一の算出手段が上記移動時間と歩数とに基づいて第一のピッチデータを求めることができる。従って、入力手段により第一のピッチデータを入力しなくとも、第二の算出手段がピッチデータと移動時間データとの関係を定める関係式に用いられている係数及び定数を求めることができ、第二のピッチデータを算出することができる。
【０１２７】
また、上記請求項５に記載のピッチ算出装置によれば、報音手段は、上述のように算出された第二のピッチデータに対応してピッチ音を報音するとともに、上記歩数検出手段で歩数を検出する際に移動のペースに対応してピッチ音を報音するので、第一のピッチデータを求める際に、上記ピッチ音に合わせて試走することで自分で作り出したペースを一定に保つことができ、第二のピッチデータをより正確に求めることができる。
【０１２８】
また、上記請求項６に記載のピッチ算出装置によれば、算出された第二の距離を実走するためのピッチデータの値を表示する表示手段を備えているので、該ピッチデータの値を確認することができる。
また、上記請求項７に記載のピッチ算出装置によれば、ピッチデータは、一分当たりの歩数であり、走者はピッチデータを容易に認識することができる。
また、上記請求項８に記載された報音制御方法によれば、請求項１と同様の作用効果を奏することができる。また、請求項９に記載された報音制御方法によれば、請求項２と同様の作用効果を奏することができる。また、請求項１０に記載された報音制御方法によれば、請求項４と同様の作用効果を奏することができる。
【図面の簡単な説明】
【図１】本発明の第一の実施例に係わるピッチ算出装置の基本構成を示すブロック図である。
【図２】上記第一の実施例のピッチ算出装置のメモリ領域の構成を示す図面である。
【図３】上記第一の実施例のピッチ算出装置におけるモードの切り換えを説明するための図面である。
【図４】上記第一の実施例のピッチ算出装置によるピッチの算出方法を説明するためのフローチャートである。
【図５】上記第一の実施例のピッチ算出装置によるピッチの算出方法を説明するための図面である。
【図６】上記第一の実施例のピッチ算出装置におけるキー入力に対する処理を説明するためのフローチャートである。
【図７】上記第一の実施例のピッチ算出装置における割り込み処理を説明するためのフローチャートである。
【図８】本発明の第二の実施例に係わるピッチ算出装置の基本構成を示すブロック図である。
【図９】上記第二の実施例のピッチ算出装置のメモリ領域の構成を示す図面である。
【図１０】上記第二の実施例のピッチ算出装置におけるモード切り換えを説明するための図面である。
【図１１】上記第二の実施例のピッチ算出装置によるピッチの算出方法を説明するためのフローチャートである。
【図１２】上記第二の実施例のピッチ算出装置におけるキー入力に対する処理を説明するためのフローチャートである。
【図１３】上記第二の実施例のピッチ算出装置における割り込み処理を説明するためのフローチャートである。
【符号の説明】
１、１０１    発振回路（計時手段）
２、１０２    分周回路（計時手段）
３、１０３    演算処理装置（ＣＰＵ、計時手段、歩数算出手段、報音周期設定手段）
５、１０５    随時書き込み読み出しメモリ（ＲＡＭ、記憶手段）
６、１０６    増幅回路（報音手段）
７、１０７    スピーカ（報音手段）
１０、１１０  キー入力部（入力手段）
１１１        歩数計数部
【図１】
0003598387.tif 000002
【図２】
0003598387.tif 000003
【図３】
0003598387.tif 000004
【図４】
0003598387.tif 000005
【図５】
0003598387.tif 000006
【図６】
0003598387.tif 000007
【図７】
0003598387.tif 000008
【図８】
0003598387.tif 000009
【図９】
0003598387.tif 000010
【図１０】
0003598387.tif 000011
【図１１】
0003598387.tif 000012
【図１２】
0003598387.tif 000013
【図１３】
0003598387.tif 000014